(57)【要約】【課題】  資源の無駄遣いを防止しつつ一定の品質を得ることができると共に周囲の注目を集めるアイキャッチ効果を向上することが可能である書き換え可能な長尺シート、及びこの長尺シートに対して画像形成を行う長尺シートへの画像形成方法を提供する。【解決手段】  予め定められた第１の温度で加熱すると発色し、予め定められた第２の温度で加熱すると消色するサーマルリライトシートからなる長尺シート１において、その長手方向の寸法Ｌを幅方向の寸法Ｗの３倍以上とした。【選択図】  図２
2005275139.tif 000002
【特許請求の範囲】
【請求項１】
予め定められた第１の温度で加熱すると発色し、予め定められた第２の温度で加熱すると消色するサーマルリライトシートからなる長尺シートであって、その長手方向の寸法が幅方向の寸法の３倍以上の寸法であることを特徴とする書き換え可能な長尺シート。
【請求項２】
請求項１記載の書き換え可能な長尺シートにおいて、
第１の温度として複数の温度を有し、前記各温度に対応してそれぞれ異なる色に発色することを特徴とする書き換え可能な長尺シート。
【請求項３】
請求項１または請求項２記載の書き換え可能な長尺シートにおいて、
着色あるいは地紋加工を施したことを特徴とする書き換え可能な長尺シート。
【請求項４】
請求項１ないし請求項３のうちの何れか１つに記載の書き換え可能な長尺シートにおいて、
画像の形成及び消去を行わない非画像形成領域を一部に有することを特徴とする書き換え可能な長尺シート。
【請求項５】
請求項４記載の書き換え可能な長尺シートにおいて、
前記非画像形成領域には粘着剤の粘着及び剥離を良好に行うための表面加工が施されていることを特徴とする書き換え可能な長尺シート。
【請求項６】
請求項４記載の書き換え可能な長尺シートにおいて、
前記非画像形成領域には着磁加工が施されていることを特徴とする書き換え可能な長尺シート。
【請求項７】
請求項１ないし請求項６のうちの何れか１つに記載の書き換え可能な長尺シートに画像を形成する画像形成方法において、
第１の温度を印加して前記サーマルリライトシート上に画像を形成しかつ第２の温度を印加して前記サーマルリライトシート上の画像を消去するサーマルヘッドを有する画像形成手段を用い、前記サーマルリライトシートまたは前記画像形成手段を移動させることにより画像形成及び画像消去を行うことを特徴とする画像形成方法。
【請求項８】
請求項４ないし請求項６のうちの何れか１つに記載の書き換え可能な長尺シートに画像を形成する画像形成方法において、
第１の温度を印加して前記サーマルリライトシート上に画像を形成しかつ第２の温度を印加して前記サーマルリライトシート上の画像を消去するサーマルヘッドを有する画像形成手段を用い、前記サーマルリライトシートまたは前記画像形成手段を移動させることにより前記非画像形成領域以外の領域において画像形成及び画像消去を行うことを特徴とする画像形成方法。
【請求項９】
請求項８記載の画像形成方法において、
前記非画像形成領域には予め予備画像が形成されており、この非画像形成領域以外の領域において画像形成及び画像消去を行うことを特徴とする画像形成方法。
【請求項１０】
請求項９記載の画像形成方法において、
前記予備画像を前記画像形成手段により形成される画像とは異なる色で形成することを特徴とする画像形成方法。
【請求項１１】
請求項８記載の画像形成方法において、
前記非画像形成領域に貼り替え可能な他の画像を貼付することを特徴とする画像形成方法。
【請求項１２】
請求項８ないし請求項１１のうちの何れか１つに記載の画像形成方法において、
前記サーマルリライトシートと前記画像形成手段とを相対的に移動させる移動手段を有し、前記移動手段は前記非画像形成領域における前記サーマルリライトシートと前記画像形成手段との相対速度を他の領域に比して増加させることを特徴とする画像形成方法。
【発明の詳細な説明】
【技術分野】
【０００１】
本発明は、書き換え可能な長尺のサーマルリライトシート及びこのサーマルリライトシートへの画像形成方法に関する。
【背景技術】
【０００２】
講演会等で使用される垂れ幕（縦書き）及び横断幕（横書き）等の長尺シートは、通常は使用の都度作成され、使用後に廃棄されている。そのため資源の無駄遣いであるという問題点がある。また、その作成においても大きさが大きく特殊な標示物であるため、専門的な技能を有する技能者が作成を行わないと一定の品質を得ることができないといった問題点がある。
【０００３】
上述した問題点に鑑み、長尺シートに印字を行う機能を有する文書処理装置が、例えば「特許文献１」に開示されている。また、書き込み用加熱エネルギが加えられることにより発色し消去用加熱エネルギが加えられることにより消色する性質を有するリライタブルシート（サーマルリライトシート）を用いた書き込みシステムが、例えば「特許文献２」に開示されている。
【０００４】
【特許文献１】特許第２６５３９１１号公報
【特許文献２】特開２００３−２７６２２２号公報
【発明の開示】
【発明が解決しようとする課題】
【０００５】
上述のように、長尺シートに印字を行う技術及び書き換え可能なシートに印字を行う技術は提案されているが、書き換え可能な長尺シートに対して画像形成及び画像消去を行う技術は未だ提案されていない。また、多くの垂れ幕及び横断幕は、１色ないし２色程度で構成されており、その記述内容も多くはパターン化されていて、周囲の注目を集めにくいという問題点がある。
【０００６】
本発明は上述の問題点を解決し、資源の無駄遣いを防止しつつ一定の品質を得ることができると共に周囲の注目を集めるアイキャッチ効果を向上することが可能である書き換え可能な長尺シート、及びこの長尺シートに対して画像形成を行う長尺シートへの画像形成方法の提供を目的とする。
【課題を解決するための手段】
【０００７】
請求項１記載の発明は、予め定められた第１の温度で加熱すると発色し、予め定められた第２の温度で加熱すると消色するサーマルリライトシートからなる長尺シートであって、その長手方向の寸法が幅方向の寸法の３倍以上の寸法であることを特徴とする。
【０００８】
請求項２記載の発明は、請求項１記載の書き換え可能な長尺シートにおいて、さらに第１の温度として複数の温度を有し、前記各温度に対応してそれぞれ異なる色に発色することを特徴とする。
【０００９】
請求項３記載の発明は、請求項１または請求項２記載の書き換え可能な長尺シートにおいて、さらに着色あるいは地紋加工を施したことを特徴とする。
【００１０】
請求項４記載の発明は、請求項１ないし請求項３のうちの何れか１つに記載の書き換え可能な長尺シートにおいて、さらに画像の形成及び消去を行わない非画像形成領域を一部に有することを特徴とする。
【００１１】
請求項５記載の発明は、請求項４記載の書き換え可能な長尺シートにおいて、さらに前記非画像形成領域には粘着剤の粘着及び剥離を良好に行うための表面加工が施されていることを特徴とする。
【００１２】
請求項６記載の発明は、請求項４記載の書き換え可能な長尺シートにおいて、さらに前記非画像形成領域には着磁加工が施されていることを特徴とする。
【００１３】
請求項７記載の発明は、請求項１ないし請求項６のうちの何れか１つに記載の書き換え可能な長尺シートに画像を形成する画像形成方法において、第１の温度を印加して前記サーマルリライトシート上に画像を形成しかつ第２の温度を印加して前記サーマルリライトシート上の画像を消去するサーマルヘッドを有する画像形成手段を用い、前記サーマルリライトシートまたは前記画像形成手段を移動させることにより画像形成及び画像消去を行うことを特徴とする。
【００１４】
請求項８記載の発明は、請求項４ないし請求項６のうちの何れか１つに記載の書き換え可能な長尺シートに画像を形成する画像形成方法において、第１の温度を印加して前記サーマルリライトシート上に画像を形成しかつ第２の温度を印加して前記サーマルリライトシート上の画像を消去するサーマルヘッドを有する画像形成手段を用い、前記サーマルリライトシートまたは前記画像形成手段を移動させることにより前記非画像形成領域以外の領域において画像形成及び画像消去を行うことを特徴とする。
【００１５】
請求項９記載の発明は、請求項８記載の画像形成方法において、さらに前記非画像形成領域には予め予備画像が形成されており、この非画像形成領域以外の領域において画像形成及び画像消去を行うことを特徴とする。
【００１６】
請求項１０記載の発明は、請求項９記載の画像形成方法において、さらに前記予備画像を前記画像形成手段により形成される画像とは異なる色で形成することを特徴とする。
【００１７】
請求項１１記載の発明は、請求項８記載の画像形成方法において、さらに前記非画像形成領域に貼り替え可能な他の画像を貼付することを特徴とする。
【００１８】
請求項１２記載の発明は、請求項８ないし請求項１１のうちの何れか１つに記載の画像形成方法において、さらに前記サーマルリライトシートと前記画像形成手段とを相対的に移動させる移動手段を有し、前記移動手段は前記非画像形成領域における前記サーマルリライトシートと前記画像形成手段との相対速度を他の領域に比して増加させることを特徴とする。
【発明の効果】
【００１９】
本発明によれば、書き換え可能なサーマルリライトシートによって横断幕あるいは垂れ幕を作成することにより、その機能を終えた横断幕あるいは垂れ幕を再びサーマルリライトシートへと戻すことができ、資源の無駄遣いを防止しつつ一定の品質を得ることが可能な横断幕あるいは垂れ幕を簡単に得ることができる。
【発明を実施するための最良の形態】
【００２０】
図１は、本発明の第１の実施形態を採用した画像形成方法を説明する概略図である。同図において、符号１は例えば特開２００３−２７６２２２号公報に開示されたリライタブルシート１と同様に、予め定められた第１の温度で加熱すると発色し、予め定められた第２の温度で加熱すると消色するサーマルリライトシートを示している。書き換え可能な長尺シートとしてのサーマルリライトシート１は、図２に示すように、幅方向の寸法Ｗに対して長手方向の寸法Ｌが３倍以上の値となるように設定されている。
【００２１】
図１において符号２は、サーマルリライトシート１に対して画像の記録及び消去を行う画像形成装置を示している。画像形成装置２は、サーマルリライトシート１を載置する上板及び脚部等を有する本体２Ａと、サーマルリライトシート１に対して加熱を行うサーマルヘッドを有する画像形成手段としての加熱部２Ｂと、サーマルリライトシート１の搬送をガイドする搬送ガイド２Ｃと、サーマルリライトシート１を図１の矢印方向に搬送する図示しない搬送手段とを有している。
【００２２】
図３は、第１の実施形態で示す画像形成方法を実行するためのブロック図を示している。画像形成装置２はパーソナルコンピュータ３に接続されており、パーソナルコンピュータ３にはキーボードあるいはマウス等の入力装置４、ディスプレイ５、記憶装置６等が接続されている。
【００２３】
パーソナルコンピュータ３の内部には、特定位置にプレ印刷したサーマルリライトシート１を使用するにあたって、ディスプレイ５上での画像編集を簡単に行うことを可能としたテンプレートソフトがインストールされている。このテンプレートソフトには、使用するサーマルリライトシート１のサイズ選択及び特定のプレ印刷内容が組み込まれており、オペレータは入力装置４から情報を入力し、この情報を配置可能である特定領域にディスプレイ５を見ながらレイアウトすることが可能となるように構成されている。もちろん、他のパーソナルコンピュータで作成した情報を入力手段、例えばＬＡＮ、ＣＤ、ＦＤ、ＭＯ、ＺＩＰ、メモリにて入力することも可能である。また、テンプレートソフト内にも代表的な文例とフォントとを有しており、これだけでも簡単に画像編集及び画像デザインを行うことが可能である。なお、パーソナルコンピュータ３内に十分な記憶容量が確保できる場合であれば、記憶装置６を用いなくともよい。
【００２４】
上述の構成により、本体２Ａ上にサーマルリライトシート１を載置して搬送ガイド２Ｃをセットし、入力装置４から例えば「歓迎○○株式会社様」という画像情報をパーソナルコンピュータ３に入力した後にスタート信号を出力すると、図示しない搬送手段が作動してサーマルリライトシート１が図１の矢印方向に搬送されると共に、加熱部２Ｂが入力された画像情報に応じて第１の温度で発熱し、サーマルリライトシート１に画像が形成される。これにより、図４に示す「歓迎○○株式会社様」という画像が描かれた横断幕７が作成される。
【００２５】
上述の方法で作成された横断幕７は、使用後に再び本体２Ａ上に載置された後にパーソナルコンピュータ３より画像消去信号が入力されることにより、図示しない搬送手段が作動して横断幕７が図１の矢印方向に搬送されると共に加熱部２Ｂが第２の温度で発熱し、画像が消去されて元のサーマルリライトシート１に戻される。
【００２６】
上述した画像形成方法によれば、サーマルリライトシート１によって横断幕７を作成することにより、その機能を終えた横断幕７を再びサーマルリライトシート１へと戻すことができ、資源の無駄遣いを防止しつつ一定の品質を得ることが可能な横断幕あるいは垂れ幕を簡単に得ることができる。
【００２７】
図５は、本発明の第２の実施形態に用いられるサーマルリライトシートを示している。長尺シートとして用いられるサーマルリライトシート８は、サーマルリライトシート１と同様に幅方向の寸法に対して長手方向の寸法が３倍以上の値となるように設定されており、画像の形成及び消去を行わない非画像形成領域８Ａと画像の形成及び消去を行う画像形成領域８Ｂとを有している。画像形成領域８Ｂの構成はサーマルリライトシート１と同様であり、非画像形成領域８Ａの構成は画像形成領域８Ｂと同様あるいは通常の紙と同様でもよい。
【００２８】
このサーマルリライトシート８を用いて横断幕を作成する場合に、図６に示すように、非画像形成領域８Ａに予備画像としての印刷画像８Ｃをプレ印刷しておき、このプレ印刷が施されたサーマルリライトシート８を画像形成装置２にセットして画像形成領域８Ｂに対して画像の形成を行う。このとき印刷画像８Ｃとして、画像形成装置２によって画像形成領域８Ｂに形成される画像とは異なる色を採用することにより、アイキャッチ効果を向上させることができる。
【００２９】
図７は、本発明の第３の実施形態を示している。この第３の実施形態は第２の実施形態と比較すると、非画像形成領域８Ａに印刷画像８Ｃをプレ印刷することに代えて、他の画像としての切り文字８Ｄあるいは他の印刷物８Ｅを貼付しておき、この他の画像８Ｄ，８Ｅが貼付されたサーマルリライトシート８を画像形成装置２にセットして画像形成領域８Ｂに対して画像の作成を行う。このとき他の画像８Ｄ，８Ｅとして、画像形成装置２によって画像形成領域８Ｂに形成される画像とは異なる色を採用することにより、アイキャッチ効果を向上させることができる。
【００３０】
第３の実施形態の変形例として、図８に示すように、他の画像８Ｄ，８Ｅが貼付される非画像形成領域８Ａに、他の画像８Ｄ，８Ｅに付着される粘着剤の粘着及び剥離が良好となるような表面加工を施すことにより、粘着剤が非画像形成領域８Ａに対して付着残りを起こし、画像形成装置２での画像形成時において付着残りを起こした粘着剤が加熱部２Ｂに付着することに起因する、加熱部２Ｂの機能低下あるいは寿命短縮等の不具合の発生を防止することができる。非画像形成領域８Ａに施される表面加工としては、シリコーン系、フッ素系、長鎖アルキル系ポリマー等の樹脂材を塗布する方法が挙げられる。このとき、アクリル系シリコーンのアクリル基の含有量を変化させる等の、剥離力を調整する剥離設計を行うことは言うまでもない。
【００３１】
図９は、本発明の第４の実施形態を示している。この第４の実施形態は、第２の実施形態と比較すると、非画像形成領域８Ａに印刷画像８Ｃをプレ印刷することに代えて、他の画像としての切り文字８Ｄあるいは他の印刷物８Ｅを磁着しておき、この他の画像８Ｄ，８Ｅが貼付されたサーマルリライトシート８を画像形成装置２にセットして画像形成領域８Ｂに対して画像の作成を行う。このとき他の画像８Ｄ，８Ｅとして、画像形成装置２によって画像形成領域８Ｂに形成される画像とは異なる色を採用することにより、アイキャッチ効果を向上させることができる。
【００３２】
他の画像８Ｄ，８Ｅを磁着させる構成としては、他の画像８Ｄ，８Ｅをマグネットシートで構成して非画像形成領域８Ａの裏面に鉄板８Ｆを貼り付けておく方法、他の画像８Ｄ，８Ｅを磁性体で構成して非画像形成領域８Ａの裏面にマグネットシート８Ｇを貼り付けておく方法等が挙げられる。
【００３３】
上述した第１ないし第４の実施形態の変形例として、図１０に示すように、サーマルリライトシートとして、その一面に桜の花がプレ印刷された地紋加工８Ｈが施されたサーマルリライトシート８、あるいは地色が画像形成色とは異なる色で形成されたサーマルリライトシート８を用いることにより、アイキャッチ効果の向上を図ることができる。また、このとき地紋加工８Ｈの色及び地色を調整することにより、横断幕あるいは垂れ幕として使用されるサーマルリライトシート８をその使用環境及び使用内容に合わせて作成することが可能となる。
【００３４】
上述した各実施形態において、サーマルリライトシート１，８として例えば特開２００３−１５２５７号公報に開示された可逆画像記録表示媒体１と同様のものを用いることにより画像部をそれぞれ異なる複数の色で発色させることができ、上記各実施形態で示した「歓迎」と「○○株式会社様」とをそれぞれ異なる色で画像形成することにより、アイキャッチ効果をさらに向上させることができる。
【００３５】
上述した第２ないし第４の各実施形態に用いられる画像形成装置２として、画像形成時に、図１１に示すように、サーマルリライトシート８の非画像形成領域８Ａに応じた長さＬ１におけるサーマルリライトシート８の搬送速度を、画像形成領域８Ｂに応じた長さＬ２におけるサーマルリライトシート８の搬送速度よりも増加させることにより、画像形成時間を短縮させることができる。また、このとき、画像形成を行わない非画像形成領域８Ａにおいて加熱部２Ｂをサーマルリライトシート８に対して非接触状態とすることにより、加熱部２Ｂの損傷を防止することができる。
【００３６】
上記各実施形態では、サーマルリライトシート１，８に画像形成を行う画像形成装置２として、図示しない搬送手段によりサーマルリライトシート１，８を搬送する構成としたが、本体２Ａの上板をサーマルリライトシート１，８の全長が載置可能な大きさとし、図示しない移動手段によって加熱部２Ｂを移動させる構成としてもよい。
【図面の簡単な説明】
【００３７】
【図１】本発明の第１の実施形態を採用した画像形成方法を説明する概略図である。
【図２】本発明の第１の実施形態に用いられるサーマルリライトシートを示す概略図である。
【図３】本発明の第１ないし第４の実施形態における画像形成方法を実行するためのブロック図である。
【図４】本発明の第１の実施形態における画像形成方法により作成された横断幕の概略図である。
【図５】本発明の第２ないし第４の実施形態に用いられるサーマルリライトシートの概略図である。
【図６】本発明の第２の実施形態における画像形成方法を説明する概略図である。
【図７】本発明の第３の実施形態における画像形成方法を説明する概略図である。
【図８】本発明の第３の実施形態の変形例における画像形成方法を説明する概略図である。
【図９】本発明の第４の実施形態において用いられるサーマルリライトシートを説明するための概略図である。
【図１０】本発明の第１ないし第４の実施形態の変形例における画像形成方法を説明する概略図である。
【図１１】本発明の第２ないし第４の実施形態の変形例における画像形成方法を説明する概略図である。
【符号の説明】
【００３８】
１，８  書き換え可能な長尺シート（サーマルリライトシート）
２Ｂ  画像形成手段（加熱部）
８Ａ  非画像形成領域
８Ｃ  予備画像（印刷画像）
８Ｄ  他の画像（切り文字）
８Ｅ  他の画像（他の印刷物）
８Ｈ  地紋加工
Ｗ  幅方向の寸法
Ｌ  長手方向の寸法
【図１】
2005275139.tif 000003
【図２】
2005275139.tif 000004
【図３】
2005275139.tif 000005
【図４】
2005275139.tif 000006
【図５】
2005275139.tif 000007
【図６】
2005275139.tif 000008
【図７】
2005275139.tif 000009
【図８】
2005275139.tif 000010
【図９】
2005275139.tif 000011
【図１０】
2005275139.tif 000012
【図１１】
2005275139.tif 000013